(57)【要約】【課題】多様な種類の照明を簡易に実現することが可能なフラッシュ装置を提供する。【解決手段】フラッシュ装置１００は、本体部１と発光部８と反射板７とを備える。発光部８は、本体部１に対して相対的に回転可能に設けられ、光源２からの光の出射方向を変更することが可能である。また、反射板７は、本体部１に対して相対的に回転可能に設けられる。【選択図】図７
2009258256.tif 000002
【特許請求の範囲】
【請求項１】
本体部と、
前記本体部に対して相対的に回転し光源からの光の出射方向を変更することが可能な発光部と、
前記本体部に対して相対的に回転可能に設けられる反射板と、
を備えるフラッシュ装置。
【請求項２】
請求項１に記載のフラッシュ装置において、
前記本体部に対して相対的に回転可能に設けられるアーム部と、
前記アーム部の回転動作に連動して前記発光部を前記本体部に対して相対的に回転させる回転機構と、
をさらに備えるフラッシュ装置。
【請求項３】
請求項２に記載のフラッシュ装置において、
前記反射板は、前記アーム部の先端側において当該アーム部に対して回転可能に取り付けられる、フラッシュ装置。
【請求項４】
請求項２に記載のフラッシュ装置において、
前記反射板は、前記アーム部の先端側に取り付けられる、フラッシュ装置。
【請求項５】
請求項１ないし請求項４のいずれかに記載のフラッシュ装置において、
前記発光部は、
第１の回転姿勢において前記光源からの光を前方に向けて出射し、
第２の回転姿勢において前記光源からの光を上方に向けて出射する、フラッシュ装置。
【請求項６】
請求項５に記載のフラッシュ装置において、
前記反射板は、前記発光部が前記第１の回転姿勢を有するときに、前記発光部から前方に向けて出射された光の進行経路上に位置し、前記発光部から前方に出射された光を反射して当該光の進行方向を変更することが可能である、フラッシュ装置。
【請求項７】
請求項５または請求項６に記載のフラッシュ装置において、
前記反射板は、前記発光部が前記第２の回転姿勢を有するときに、前記発光部から上方に向けて出射された光の進行経路上に位置し、前記発光部から上方に出射された光を反射して当該光の進行方向を変更することが可能である、フラッシュ装置。
【請求項８】
請求項５ないし請求項７のいずれかに記載のフラッシュ装置において、
前記反射板は、前記発光部が前記第１の回転姿勢を有するときに、前記発光部から前方に向けて出射された光の進行経路上から退避することが可能である、フラッシュ装置。
【請求項９】
請求項５ないし請求項８のいずれかに記載のフラッシュ装置において、
前記反射板は、前記発光部が前記第２の回転姿勢を有するときに、前記発光部から上方に向けて出射された光の進行経路上から退避することが可能である、フラッシュ装置。
【請求項１０】
請求項５ないし請求項９のいずれかに記載のフラッシュ装置において、
前記反射板は、
前記発光部が前記第１の回転姿勢を有するときに、前記発光部から前方に向けて出射された光を第１の面で反射し、
前記発光部が前記第２の回転姿勢を有するときに、前記発光部から上方に向けて出射された光を前記第１の面の反対側の面である第２の面で反射する、フラッシュ装置。
【請求項１１】
請求項１ないし請求項１０のいずれかに記載のフラッシュ装置において、
前記反射板は、第１の軸を中心に前記本体部に対して相対的に回転可能であるとともに、前記第１の軸に略垂直な第２の軸を中心に回転することも可能である、フラッシュ装置。
【請求項１２】
請求項１ないし請求項１１のいずれかに記載のフラッシュ装置において、
前記反射板は、前記発光部からの光の一部を反射するとともに、前記発光部からの光の他の一部を透過させつつ拡散する、フラッシュ装置。
【請求項１３】
請求項１ないし請求項１２のいずれかに記載のフラッシュ装置において、
前記反射板は着脱自在である、フラッシュ装置。
【発明の詳細な説明】
【技術分野】
【０００１】
本発明は、撮影用の補助光を発光するフラッシュ装置に関する。
【背景技術】
【０００２】
フラッシュ装置を用いた撮影においては、様々な種類の照明光を用いた種々の撮影手法が存在する。
【０００３】
例えば、フラッシュ光を被写体に直接的に照射する照明光を用いた撮影の他に、フラッシュ光を一旦天井等に反射させて被写体に間接的に照射する天井バウンス撮影などが存在する。
【０００４】
しかしながら、従前においては、このような様々な照明を実現するには、大がかりな装置が必要であった。
【０００５】
一方、このような照明を簡易に実現する装置としては、特許文献１などに記載される技術が提案されている。
【０００６】
【特許文献１】特開２００５−７０３０３号公報
【発明の開示】
【発明が解決しようとする課題】
【０００７】
しかしながら、特許文献１に記載される装置においても、必ずしも十分な種類の照明を実現しているとは言えない。
【０００８】
そこで、この発明は、多様な種類の照明を簡易に実現することが可能なフラッシュ装置を提供することを課題とする。
【課題を解決するための手段】
【０００９】
本発明に係るフラッシュ装置は、本体部と、前記本体部に対して相対的に回転し光源からの光の出射方向を変更することが可能な発光部と、前記本体部に対して相対的に回転可能に設けられる反射板とを備える。
【発明の効果】
【００１０】
本発明によれば、多様な種類の照明を簡易に実現することが可能である。
【発明を実施するための最良の形態】
【００１１】
以下、本発明の実施形態を図面に基づいて説明する。
【００１２】
＜１．構成＞
図１は、本実施形態に係るフラッシュ装置（閃光装置とも称する）１００を示す斜視図であり、図２および図３は、フラッシュ装置１００の内部構成を示す図である。図２においては、側方から見たフラッシュ装置１００の内部構成が示されており、図３においては、上方から見たフラッシュ装置１００の内部構成が示されている。
【００１３】
このフラッシュ装置１００は、いわゆる外付けのフラッシュ装置であり、撮像装置に対して着脱自在である。フラッシュ装置１００は、例えば、その底面に設けられた取付部１４（図２参照）を用いて、撮像装置上部のアクセサリーシュー（フラッシュ装着部）に対して装着される。
【００１４】
図１に示すように、フラッシュ装置１００は、略直方体形状の本体部１を備えている。また、本体部１の上部の前面側には透光部材１１が設けられており、本体部１の上面側には透光部材１２が設けられている。
【００１５】
また、図２および図３に示すように、本体部１の内部には、発光部８が設けられている。発光部８は、キセノン管などの光源２と、当該光源２からの光を所定の出射方向に向けて反射する反射傘３とを備える。光源２は、その長手方向における両端部において、反射傘３に対して固定されている。反射傘３の内側（光源２側）の曲面（反射面）の断面形状は、略放物線状に形成されており、光源２からの光は、反射傘３の反射面で反射され、当該放物線の中心軸方向において進行する。例えば、図２の状態においては、光源２からの光は、反射傘３で反射され、前方（矢印ＡＲ１の向き）に向けて進行し、透光部材１１を透過してさらに前方に進行する。すなわち、「前向き姿勢」（後述）の発光部８からは、光が前方に出射される。
【００１６】
この発光部８は、回転式の発光部であり、本体部１に対して回転軸ＡＸ１を中心に相対的に回転可能に設けられる。発光部８（特に反射傘３）が回転機構４によって回転されることによって、光源からの光の出射方向を変更することが可能である。例えば、後述するように、図５および図９の状態においては、光源２からの光は、反射傘３の反射面で反射され、上方（矢印ＡＲ２の向き）に進行し、透光部材１２を透過してさらに上方に進行する。すなわち、「上向き姿勢」（後述）の発光部８からは、光が上方に出射される。
【００１７】
フラッシュ装置１００は、回転機構４とアーム部５ａ，５ｂとアーム回転部６と反射板７とをさらに備えている。
【００１８】
回転機構４は、アーム部５ａの回転動作に連動して、発光部８を本体部１に対して所定角度（例えば約８０度）回転させる。この回転機構４は、回転軸部材４１ａ，４１ｂ，４２，４３ａ，４３ｂと、歯車４４，４５，４６とを有している（図３〜図５等参照）。
【００１９】
図４および図５は、反射傘３および駆動機構４０付近の詳細構成を示す図である。図４は、反射傘３が或る回転姿勢（具体的には「前向き姿勢」）を有している状態を示しており、図５は、反射傘３が別の回転姿勢（具体的には「上向き姿勢」）を有している状態を示している。換言すれば、図４においては、光源２からの光が前方に向けて出射される状態が示されており、図５においては、光源２からの光が上方（より詳細にはやや前方寄り）に向けて出射される状態が示されている。
【００２０】
図４および図３に示すように、回転軸部材４３ａ，４３ｂは、反射傘３の両側部において反射傘３に固定されている。また、回転軸部材４３ａ，４３ｂは、細長形状の光源２の伸延方向（長手方向）に沿って設けられており、本体部１の側壁部１ａにおいて軸支されている。この結果、反射傘３（および光源２）は、回転軸部材４３ａ，４３ｂの共通の中心軸ＡＸ１を中心に本体部１に対して相対的に回転することが可能である。
【００２１】
また、回転軸部材４１ａは、軸ＡＸ１に平行な軸ＡＸ２に沿って設けられており、本体部１の側壁部１ａ，１ｂに軸支されている。側壁部１ｂは、本体部１の一部であり、本体部１の内部空間において、歯車４４，４５（後述）を挟んで側壁部１ａに対向する位置に設けられる。
【００２２】
この回転軸部材４１ａは、本体部１の側壁部１ａを貫通しており、本体部１の側壁部１ａの外側において、軸ＡＸ１に対して略垂直な方向に延びるアーム部５ａの一端側（中心側）に接続（固定接続）されている。
【００２３】
また、回転軸部材４２は、軸ＡＸ１に平行な軸に沿って設けられており、本体部１の側壁部１ａ，１ｂに軸支されている。
【００２４】
図４等に示すように、回転軸部材４１ａには歯車４４が固定されており、回転軸部材４２には歯車４５が固定されており、回転軸部材４３ａには歯車４６が固定されている。歯車４５は歯車４４と歯車４６とに噛み合わされて配置される中間歯車である。これらの歯車４４，４５，４６によって、アーム部５ａの軸ＡＸ２回りの回転動作が発光部８の軸ＡＸ１回りの回転動作へと変換される。
【００２５】
具体的には、図４に示すように、操作者がアーム部５ａに対して直接的に或いは反射板７を介して間接的に操作力を加えてアーム部５ａを反時計回りに回転させると、歯車４４が反時計回りに回転し、当該歯車４４に噛みあっている歯車４５が時計回りに回転する。さらに、歯車４５に噛みあっている歯車４６が再び反時計回りに回転する。このようにして、アーム部５ａの反時計回りの回転動作に応じて、発光部８も反時計回りに回転する。また、発光部８の回転角度とアーム部５ａの回転角度との比は、歯車４４，４５，４６のギア比によって調整される。例えば、発光部８の回転角度がアーム部５ａの回転角度の半分程度になるように、これらの歯車のギア比が調整される。この場合には、アーム部５ａが約１６０度回転すると、発光部８が約８０度回転する。
【００２６】
この結果、発光部８は、図４の状態から図５の状態へと遷移する。
【００２７】
逆に、操作者がアーム部５ａを時計回りに回転させると、発光部８は時計回りに回転する。このような動作によって、発光部８は、図５の状態から図４の状態へと遷移する。
【００２８】
また、図３に示すように、反射板７は、その左右両端側に設けられたアーム回転部６を介して、アーム部５ａ，５ｂに接続されている。なお、アーム部５ｂは軸部材４１ｂに固定されており、軸部材４１ｂは本体部１の側壁部１ａ（図３の左側）において軸支されている。また、軸部材４１ｂは軸部材４１ａと共通の回転中心軸ＡＸ２を有している。これにより、アーム部５ｂは、アーム部５ａの回転動作に同期して、本体部１に対して軸ＡＸ２を中心に相対的に回転可能である。
【００２９】
反射板７は、その表裏両面ＦＣ１，ＦＣ２が反射面として機能するように、構成されている。なお、ここでは、面ＦＣ１，ＦＣ２によって光が全反射される場合を想定するが、後述するように、これに限定されない。
【００３０】
また、反射板７は、アーム回転部６の回転軸ＡＸ３を中心にアーム部５ａ，５ｂに対して回転する。したがって、反射板７は、アーム部５ａとは独立して本体部１に対して相対的に回転する。換言すれば、反射板７の回転角度は、アーム部５ａの回転角度とは独立して設定される。また、反射板７は、発光部８とは独立して回転する。換言すれば、反射板７の回転角度は、発光部８の回転角度とは独立して設定される。
【００３１】
アーム回転部６は、アーム部５ａ（，５ｂ）の一端側（回転中心から離れた側（先端側））に設けられた中空軸部材６ｄ（図６参照）と、反射板７の一端側（回転中心に近い側（根元側））に設けられた軸部材６ｃ（図６参照）とを有している。軸部材６ｃは中空軸部材６ｄの中空部分に軸支されている。反射板７は、軸部材６ｃと中空軸部材６ｄとの共通の回転軸ＡＸ３を中心に回転する。また、軸部材６ｃと中空軸部材６ｄとの間には適度の摩擦力が作用し、反射板７は、アーム部５ａ，５ｂに対して任意の回転位置を維持した状態で保持され得る。
【００３２】
また、軸部材６ｃの外周面の一部には略半球状の凸部６ｅが設けられており、中空軸部材６ｄの内側円周面には、複数の凹部６ｆが設けられている。これらの凹部６ｆは、反射板７の回転位置（回転角度）に関する幾つかの基準位置に対応して設けられている。反射板７の回転に応じて、当該凸部６ｅが複数の凹部６ｆのいずれかに嵌合すると、反射板７の回転角度（姿勢）が固定される。これにより、反射板７の回転位置（角度）を複数の基準位置（回転角度）に容易に設定することが可能である。ただし、この固定状態は、操作者により一定以上の回転力が付与されると解除され、その後、反射板７を別の角度へと回転させる操作が可能になる。
【００３３】
このような構成によって、反射板７は、アーム部５ａ，５ｂの先端側において、アーム部５ａ，５ｂに対して取り付けられている。特に、反射板７は、アーム回転部６の回転中心軸ＡＸ３を中心に回転することが可能である。換言すれば、反射板７は、回転中心軸ＡＸ３を中心に本体部１に対して相対的に回転することが可能である。
【００３４】
さらに、反射板７は、ベース部分７ａと回転部分７ｂとを有しており、ベース部分７ａと回転部分７ｂとはヒンジ部７ｃを介して接続されている（図１，図１３，図１４等参照）。反射板７の回転部分７ｂは、ヒンジ部７ｃの中心軸ＡＸ４を中心に、ベース部分７ａに対して相対的に回転可能である。ここで、中心軸ＡＸ４は、中心軸ＡＸ３に対して略垂直である。なお、中心軸ＡＸ４は、光源２の長手方向に平行な方向に延びる軸であり、中心軸ＡＸ３は、光源２の長手方向に垂直な方向に延びる軸であるとも表現される。
【００３５】
このように、反射板７は、本体部１に対して中心軸ＡＸ３を中心に回転することが可能であるとともに、中心軸ＡＸ４を中心に回転することも可能である。
【００３６】
なお、次述するように、反射板７の回転動作と発光部８の回転動作とが組み合わせられることによって、様々な照明光が実現される。
【００３７】
＜２．照明光実現動作＞
次に、様々な照明光を実現する動作について説明する。
【００３８】
まず、図２においては、発光部８が「前向き姿勢」を有しており、光源２からの光が前方に向けて出射される。また、反射板７は、発光部８から前方に向けて出射された光の進行経路上から退避している。この照明状態ＳＴ１においては、発光部８から前方に向けて出射された光がそのまま前方に向けて進行する。
【００３９】
次に、図２の状態ＳＴ１において操作者が軸ＡＸ３を中心に反射板７を反時計回りに回転させると、図７の状態ＳＴ２に遷移する。なお、発光部８は、この状態遷移においては回転されず、状態ＳＴ２においても状態ＳＴ１と同じ回転角度（姿勢）を有している。
【００４０】
図７に示すように、状態ＳＴ２においては、反射板７は、本体部１に対する反射板７の回転動作に応じて、発光部８から前方に向けて出射された光の進行経路上に位置している。具体的には、反射板７は、状態ＳＴ１から軸ＡＸ３を中心に反時計回りに適宜の角度（例えば約１６０度）回転され、透光部材１２の前方において、当該光の進行方向に対して斜めに配置されている。詳細には、当該反射板７の反射面ＦＣ１が上側になるように、当該光の進行方向に対して斜めに配置されている。そのため、発光部８から前方に向けて出射された光は、反射板７の面ＦＣ１において反射され、上方へと進行する。すなわち、反射板７は、発光部８から前方に出射された光を反射して当該光の進行方向を上方に変更する。
【００４１】
この状態ＳＴ２においては、いわゆる天井バウンス撮影を行うことが可能である。
【００４２】
なお、図７の状態ＳＴ２において、反射板７を時計回りに回転させることによれば、再び、図２の状態ＳＴ１となる。すなわち、反射板７が、本体部１に対する反射板７の回転動作に応じて、発光部８から前方に向けて出射された光の進行経路上から退避することによって、照明状態ＳＴ１が実現される。
【００４３】
さて、図７の状態ＳＴ２において操作者が今度はアーム部５ａを軸ＡＸ２を中心に反時計回りに回転させる（図８参照）とともに、反射板７を軸ＡＸ３を中心にアーム部５ａに対して時計回りに回転させることによって、図９および図１０の状態ＳＴ３に遷移する。なお、図８は、状態ＳＴ２から状態ＳＴ３への遷移時においてアーム部５ａおよび反射板７等が回転する様子を示す図であり、図９および図１０は、反射板７を用いて前方照射が行われる様子を示す図である。
【００４４】
図９および図１０に示すように、状態ＳＴ３においては、発光部８が「上向き姿勢」を有しており、発光部８から上方に向けて光が出射される。また、反射板７は、本体部１に対する反射板７の回転動作に応じて、発光部８から上方に向けて出射された光の進行経路上に位置している。具体的には、反射板７は、透光部材１２の上方において、当該光の進行方向に対して斜めに配置されている。詳細には、当該反射板７の反射面ＦＣ２が下側になるように、当該光の進行方向に対して斜めに配置されている。なお、反射面ＦＣ２は、上述の反射面ＦＣ１の反対側の面である。
【００４５】
そのため、発光部８から上方に向けて出射された光は、反射板７の面ＦＣ２において反射され、前方へと進行する。すなわち、反射板７は、発光部８から上方に出射された光を反射して当該光の進行方向を前方に変更する。
【００４６】
この状態ＳＴ３においては、いわゆるリフレクター機能が実現され、反射光による撮影を行うことが可能である。この状態ＳＴ３においては、天井が無い撮影場所においても、広がりのある光を実現することが可能である。
【００４７】
次に、図９（および図１０）の状態ＳＴ３において操作者が軸ＡＸ３を中心に反射板７を反時計回りに回転させる（図１１参照）と、図１２の状態ＳＴ４に遷移する。なお、発光部８は、この状態遷移においては回転されず、状態ＳＴ４においても状態ＳＴ３と同じ回転角度（姿勢）を有している。また、図１１は、状態ＳＴ３から状態ＳＴ４への遷移時において反射板７が回転する様子を示す図であり、図１２は、反射板７を用いずに上方照射が行われる様子を示す図である。
【００４８】
図１２に示すように、状態ＳＴ４においては、反射板７は、本体部１に対する反射板７の回転動作に応じて、発光部８から上方に向けて出射された光の進行経路から退避している。具体的には、反射板７は、状態ＳＴ３から軸ＡＸ３を中心に反時計回りに適宜の角度（例えば約２２０度）回転され、本体部１の背面（図１２の左側の面）に対向する位置に移動している。そのため、発光部８から上方に向けて出射された光は、反射板７で反射されることなく、そのまま上方へと進行する。
【００４９】
この状態ＳＴ４においては、いわゆる天井バウンス撮影を行うことが可能である。なお、上述の状態ＳＴ２（図７参照）においても天井バウンス撮影を行うことが可能である。ただし、状態ＳＴ２においては、発光部８からの出射光が反射板７で反射された後に更に天井でも反射されるのに対して、状態ＳＴ４においては、発光部８からの出射光が天井でのみ反射される点で、両者は相違する。したがって、両状態ＳＴ２，ＳＴ４においては、互いに若干異なる照明光が実現される。
【００５０】
なお、逆に、反射板７を軸ＡＸ３を中心に時計回りに回転させることによって、状態ＳＴ４から状態ＳＴ３への遷移動作が実現される。また、さらにアーム部５ａを軸ＡＸ２を中心に時計回りに回転させるとともに反射板７を軸ＡＸ３を中心にアーム部５ａに対して反時計回りに回転させることによって、状態ＳＴ３から状態ＳＴ２へと遷移動作が実現される。
【００５１】
ところで、この実施形態においては、上述したように、反射板７の回転部分７ｂは、ヒンジ部７ｃの中心軸ＡＸ４を中心に、ベース部分７ａに対して相対的に回転可能である。すなわち、反射板７は、発光部８に対して中心軸ＡＸ４を中心に相対的に回転することが可能である。
【００５２】
この回転を利用することによれば、さらに別の照明光を実現することができる。具体的には、状態ＳＴ３（図９、図１０、図１３参照）において、さらに反射板７を中心軸ＡＸ４を中心に回転させる。なお、図１３は、状態ＳＴ３を有するフラッシュ装置１００を背面側からみた斜視図である。
【００５３】
図１３等の状態ＳＴ３において操作者が軸ＡＸ４を中心に反射板７を矢印ＡＲ４（図１４参照）の向きに回転させると、図１４の状態ＳＴ５に遷移する。なお、発光部８は、この状態遷移においては回転されず、状態ＳＴ４においても状態ＳＴ３と同じ回転角度（姿勢）を有している。
【００５４】
状態ＳＴ５においては、発光部８が「上向き姿勢」を有しており、図１４に示すように、発光部８から上方に向けて光が出射される。
【００５５】
また、反射板７は、本体部１に対する反射板７の回転動作に応じて、発光部８から上方に向けて出射された光の進行経路上に位置している。具体的には、反射板７は、透光部材１２の上方において、当該光の進行方向に対して斜めに配置されている。詳細には、当該反射板７の反射面ＦＣ２が下側になるように、当該光の進行方向に対して斜めに配置されている。また、反射板７は、回転軸ＡＸ４を中心に時計回りに所定角度（例えば約３０度）回転されている。そのため、発光部８から上方に向けて出射された光は、反射面ＦＣ２において反射され、前方且つ右側へと進行する。すなわち、反射板７は、発光部８から上方に出射された光を反射して当該光の進行方向を右前方に変更する。
【００５６】
この状態ＳＴ５においては、いわゆる壁バウンス撮影を行うことが可能である。具体的には、右前方に進行する光をさらに壁に反射させて被写体に到達させることが可能である。
【００５７】
なお、ここでは、軸ＡＸ４を中心に反射板７を時計回りに回転させる場合を例示したが、これに限定されない。例えば、逆に、軸ＡＸ４を中心に反射板７を反時計回りに回転させるようにしてもよい。これによれば、発光部８からの光を左前方に進行させた状態における壁バウンス撮影を行うことが可能である。このように、反射板７を軸ＡＸ４を中心に左右に回転させることによって、光の進行方向を左右に変更することが可能である。
【００５８】
以上のように、上記実施形態に係るフラッシュ装置１００によれば、本体部１に対して相対的に回転し光源２からの光の出射方向を変更することが可能な発光部８と、本体部１に対して相対的に回転可能に設けられる反射板７とが備えられる。したがって、多様な種類の照明を簡易に実現することが可能である。なお、複数のフラッシュ装置を準備すれば、多様な種類の照明を実現することは可能であるが、非常に手間がかかるなどの問題が存在する。これに対して、上記実施形態に係るフラッシュ装置においては、単一のフラッシュ装置１００で複数の種類の照明を実現することが可能である。したがって、複数のフラッシュ装置を準備する場合に比べて多様な種類の照明を簡易に実現することが可能である。また、特に、モータなどの駆動装置を用いておらず、操作者の操作力によって発光部８および反射板７が回転されるので、小型化を実現することも可能である。
【００５９】
＜３．その他＞
以上、この発明の実施の形態について説明したが、この発明は上記説明した内容のものに限定されるものではない。
【００６０】
たとえば、上記実施形態においては、反射板７が光を全反射する場合を想定したが、これに限定されない。「反射」は、全反射であってもよく或いは全反射でなくてもよい。例えば、反射板７は、所定の割合（例えば５０％）の光を反射し、且つ、所定の割合（例えば５０％）の光を透過するものであってもよい。
【００６１】
また、反射板７は、発光部８からの光の一部を透過させつつ拡散させる拡散板として設けられてもよい。換言すれば、反射板７は、光の反射機能と光の拡散機能との双方を有するものであってもよい。具体的には、当該反射板７が、発光部８からの光の一部を反射するとともに、発光部８からの光の他の一部を透過させつつ拡散させるようにしてもよい（図１５参照）。この場合、状態ＳＴ２において、発光部８から前方に向けて出射された光の一部は、反射板７で反射され、上方に向けて進行する。また、この状態ＳＴ２において、発光部８から前方に向けて出射された光の他の一部は、当該反射板（この場合、拡散板とも称される）７を透過しつつて反射板（拡散板）７で拡散され更に進行する。したがって、更に異なる種類の照明光を得ることが可能である。
【００６２】
また、上記実施形態においては、反射板７はアーム部５ａに回転可能に接続されており、取り外し不可能であったが、これに限定されず、反射板７の全部又は一部が取り外し可能（着脱自在）であってもよい。例えば、反射板７は、アーム部５ａに対して着脱自在であってもよい。あるいは、反射板７の回転部分７ｂが、反射板７のベース部材７ａに対して着脱自在であってもよい。このように、反射板７はフラッシュ装置１００において着脱自在に設けられてもよい。
【００６３】
さらに、フラッシュ装置１００から反射板７を離脱させた後に、反射板７と交換して拡散板１７（図１５参照）をフラッシュ装置１００に装着するようにしてもよい。例えば、拡散板１７が装着されるときには、状態ＳＴ２においては、発光部８から前方に向けて出射された光（詳細にはその全部又は一部）は、拡散板１７で拡散されつつ拡散板１７を透過して更に進行する。これによれば、更に異なる種類の照明光を得ることが可能である。なお、拡散板１７の透過率は、１００％（全透過）であってもよく、上述したように別の割合（例えば５０％）であってもよい。すなわち、拡散板１７は、任意の割合（０％を除く）の光を透過して拡散するものであってもよい。
【図面の簡単な説明】
【００６４】
【図１】フラッシュ装置を示す斜視図である。
【図２】側方から見たフラッシュ装置の内部構成を示す図である。
【図３】上方から見たフラッシュ装置の内部構成を示す図である。
【図４】反射傘が前向き姿勢を有している状態を示す図である。
【図５】反射傘が上向き姿勢を有している状態を示す図である。
【図６】アーム回転部付近の構成を示す図である。
【図７】天井バウンス撮影が行われる状態を示す図である。
【図８】反射板が回転する様子を示す図である。
【図９】反射板を用いて前方照射が行われる様子を示す図である。
【図１０】反射板を用いて前方照射が行われる様子を示す斜視図である。
【図１１】反射板がさらに回転する様子を示す図である。
【図１２】反射板を用いずに上方照射が行われる様子を示す図である。
【図１３】図１０の状態を背面側から見た斜視図である。
【図１４】水平軸に略垂直な軸に対して反射板が回転した状態を示す図である。
【図１５】拡散板により光が拡散される様子を示す図である。
【符号の説明】
【００６５】
１  本体部
２  光源
３  反射傘
４  回転機構
５ａ，５ｂ  アーム部
６  アーム回転部
７  反射板
７ａ  ベース部分
７ｂ  回転部分
８  発光部
１１，１２  透光部材
４０  駆動機構
１００  フラッシュ装置
ＦＣ１，ＦＣ２  反射面
【図１】
2009258256.tif 000003
【図２】
2009258256.tif 000004
【図３】
2009258256.tif 000005
【図４】
2009258256.tif 000006
【図５】
2009258256.tif 000007
【図６】
2009258256.tif 000008
【図７】
2009258256.tif 000009
【図８】
2009258256.tif 000010
【図９】
2009258256.tif 000011
【図１０】
2009258256.tif 000012
【図１１】
2009258256.tif 000013
【図１２】
2009258256.tif 000014
【図１３】
2009258256.tif 000015
【図１４】
2009258256.tif 000016
【図１５】
2009258256.tif 000017